(57)【要約】    【課題】  フレーム構成を有するトランスポートストリームと、フレーム内の変調方式やトランスポートストリーム構成を示す伝送多重制御情報が伝送されるＢＳデジタル放送をケーブルテレビジョン(ＣＡＴＶ）伝送路などを使用して安定した送受信を行なう方法および送受装置を提供する。    【解決手段】  ＢＳデジタル放送の階層化されたトランスポートストリーム形式のデジタルデータの切り換え情報を伝送多重制御情報あるいはＦＳＫなどのデジタル変調波で送出したものを受信し、階層化の切り換えタイミングを図り、階層化トランスポートストリーム形式のデジタルデータを選択受信する。    【選択図】  図１
2006238504.tif 000002
【特許請求の範囲】
【請求項１】
Ｃ／Ｎあるいは誤り率の計測手段と、階層化関係をもつトランスポートストリーム形式
のデジタルデータと、前記トランスポートストリームの伝送多重制御情報に前記計測手段
の結果に基づいた前記階層化関係の切り換え情報とを多重化する手段と、６４値などの多
値ＱＡＭなどのデジタル変調する変調手段と前記変調手段の出力を含む複数の被変調波を
周波数多重して伝送路に送出する信号合成手段とを備えたことを特徴とする送信装置。
【請求項２】
Ｃ／Ｎあるいは誤り率の計測手段と、階層化関係をもつトランスポートストリーム形式
のデジタルデータと、前記トランスポートストリームの伝送多重制御情報を多重化する手
段と、６４値などの多値ＱＡＭなどのデジタル変調する第一の変調手段と、前記計測手段
の結果に基づいた前記階層化関係の切り換え情報などをＦＳＫなどのデジタル変調する第
２の変調手段と、前記第１の変調手段の出力と前記第２の変調手段の出力を含む複数の被
変調波を周波数多重して伝送路に送出する信号合成手段とを備えたことを特徴とする送信
装置。
【請求項３】
階層化関係をもつトランスポートストリーム形式のデジタルデータとが前記トランスポ
ートストリームが入力され任意の階層のトランスポートストリームを選択する手段と、選
択されたトランスポートストリームと他のトランスポートストリームと伝送多重制御情報
を多重する手段と、６４値などの多値ＱＡＭなどのデジタル変調する変調手段と、前記変
調手段の出力を含む複数の被変調波を周波数多重して伝送路に送出する信号合成手段とを
備えたことを特徴とする送信装置。
【請求項４】
請求項１乃至３において、衛星デジタル放送の受信手段と、復調する手段と、階層関係
をもつトランスポートストリーム形式のデジタルデータの復号手段と、伝送多重制御情報
の復号手段からなる受信部を有することを特徴とする送信装置。
【請求項５】
周波数多重されて伝送された６４値などの多値ＱＡＭなどのデジタル被変調波を復調す
る復調手段と、階層化関係をもつトランスポートストリーム形式のデジタルデータと前記
トランスポートストリームの伝送多重制御情報を復号する手段と、伝送多重制御情報の内
の前記階層化トランスポートストリームの切り換え情報によって階層化関係をもつトラン
スポートストリーム形式の１つの階層化トランスポートストリームを選択デコードする手
段とを備えたことを特徴とする受信装置。
【請求項６】
周波数多重されて伝送された６４値などの多値ＱＡＭなどのデジタル被変調波を復調す
る第１の復調手段と、周波数多重されて伝送されたＦＳＫなどのデジタル被変調波を復調
する第２の復調手段と、第１の復調手段から階層化関係をもつトランスポートストリーム
形式のデジタルデータと前記トランスポートストリームの伝送多重制御情報を復号する手
段と、第２の復調手段出力から前記階層化トランスポートストリームの切り換え情報を復
号する手段と、前記階層化トランスポートストリームの切り換え情報によって階層化関係
をもつトランスポートストリーム形式の１つの階層化トランスポートストリームを選択デ
コードする手段とを備えたことを特徴とする受信装置。
【請求項７】
周波数多重されて伝送された６４値などの多値ＱＡＭなどのデジタル被変調波を復調す
る復調手段と、階層化関係をもつトランスポートストリーム形式のデジタルデータを復号
する手段と、復号されたトランスポートストリーム形式のデータの誤り回数の計測手段と
、前記計測手段の結果によって階層化関係をもつトランスポートストリーム形式の１つの
階層化トランスポートストリームを選択デコードする手段とを備えたことを特徴とする受
信装置。
【請求項８】
制御情報を含む階層化されたデジタルデータを送信する送信装置であって、
前記制御情報に階層の切り替え情報を付加する切り換え情報付加手段を備えたことを特
徴とする送信装置。
【請求項９】
階層の切り替え情報が付加された制御情報を含む階層化されたデジタルデータを受信す
る受信装置であって、
前記階層の切り替え情報に基づいて、前記デジタルデータの階層を切り換える切り替え
手段を備えたことを特徴とする受信装置。
【請求項１０】
制御情報を含む階層化されたデジタルデータを送信する送信装置であって、
前記制御情報に階層の切り替え情報を付加する切り換え情報付加手段と、
前記階層の切り替え情報に基づいて、前記デジタルデータの階層を切り換える切り替え
手段を備えたことを特徴とする送信装置。
【請求項１１】
制御情報を含む階層化されたデジタルデータを受信する受信装置であって、
前記デジタルデータから階層の切り替え情報を検出する切り換え情報検出手段と、
前記階層の切り替え情報に基づいて、前記デジタルデータの階層を切り換える切り替え
手段を備えたことを特徴とする受信装置。
【発明の詳細な説明】
【技術分野】
【０００１】
本発明は、トランスポートストリーム構成を示す伝送多重制御情報が伝送されるデジタル放送をケーブルテレビジョン(ＣＡＴＶ)伝送路などを使用して安定した送受信を行なう技術に関する。
【背景技術】
【０００２】
ＣＡＴＶのデジタル伝送については、１９９５年９月２１日に発表されたテレビジョン学
会技術報告（ｖｏｌ．１９，Ｎｏ．４２：非特許文献１）１９頁から２４頁の「電気通信
技術審議会暫定方式デジタル有線テレビジョン放送伝送実験」に示されている。この報告
によれば、エムペグ２（ＭＰＥＧ２）と呼ばれるデジタル画像圧縮技術によって圧縮され
た画像などのデジタルデータが多重されたトランスポートス
トリームと呼ばれる形式のデータ列とされ、リードソロモン誤り訂正などの信号処理をさ
れ、６４ＱＡＭ（６４値直交振幅変調）と呼ばれるデジタル変調技術によって変調され、
約３０Ｍｂｐｓの伝送容量でＣＡＴＶ伝送路へ伝送される。
【０００３】
また、デジタルＣＡＴＶの入力となる多チャネルのデジタル化された映像の配信方式と
しては、衛星デジタルテレビジョン放送があり、その放送については、日経エレクトロニ
クス１９９６年９月２日号１４９頁の論文「７０近くの多チャンネルを実現する日本初の
ディジタル衛星放送」（非特許文献２）に記載されているように、複数のデジタル圧縮（
ＭＰＥＧ２）した番組やデータをパケット多重し、スクランブルを掛けて訂正符号化した
単一のトランスポートストリームをＱＰＳＫのデジタル変調で伝送する。衛星デジタル放
送は、アナログ方式に対して、降雨減衰等によるＣ／Ｎの劣化が急激に起こり、これによ
り、サービス遮断が発生する課題がある。
【０００４】
従来のデジタルＣＡＴＶでは、ＱＰＳＫ変調により映像配信されたデジタル映像を復調
した後、６４ＱＡＭ等のデジタル変調に再変調してＣＡＴＶ伝送路に伝送するが、降雨減
衰等により衛星デジタルの映像配信が遮断されサービスが停止しても、特に考慮されてい
なかった。
【０００５】
【非特許文献１】テレビジョン学会技術報告（ｖｏｌ．１９，Ｎｏ．４２）
【非特許文献２】日経エレクトロニクス１９９６年９月２日号１４９頁の論文「７０近くの多チャンネルを実現する日本初のディジタル衛星放送」
【発明の開示】
【発明が解決しようとする課題】
【０００６】
新しく計画されているＢＳデジタル放送では、従来のＢＳアナログ放送の伝送チャンネ
ル１チャンネルに、複数のデジタル化された従来の標準テレビジョン放送だけではなく、
高精細テレビジョン放送を伝送する計画である。ＢＳデジタル放送の伝送については、１
９９８年１１月の映像メディア学会誌（ｖｏｌ．５２  Ｎｏ．１１  １９９８）２４頁か
ら３１頁の「ＢＳディジタル放送の方式と設備」に示されている。ＢＳデジタル放送では
、約６０Ｍｂｐｓの伝送容量を持ち、一中継器の中で複数の変調方式が使用できる。映像
や音声、データなどのトランスポートストリームにフレーム構成を持たせ、フレーム内の
変調方式やトランスポートストリーム構成の制御情報伝送には伝送多重制御信号（ＴＭＣ
Ｃ信号）を用いている。ＴＭＣＣは郵政省令第５７号より、トランスポートストリームの
同期信号部分を用いて、主信号の前に１フレーム毎(=４８スロット、１スロット=２０４
バイト)に分割伝送され、１スーパフレーム(=８フレーム)を周期として伝送される。その
構成は郵政省告示第２６０号に示され、伝送モード／スロット情報はデジタル復調手段の
選択に用いられ、相対ＴＳ／スロット情報と相対ＴＳ／ＴＳＩＤ対応は希望するトランス
ポートストリームＩＤ(ＴＳＩＤ)の選択出力に用いる。その他、変更指示番号、緊急情報
等の送受信制御情報や拡張情報領域がある。
【０００７】
ＢＳデジタル放送では、降雨によるサービス遮断を軽減するために、複数の変調方式を
組合わせて伝送できる特徴を用いて階層化伝送が可能である。階層化伝送の運用ガイドラ
インは、平成１０年１１月６日の電波産業会  標準規格（ＡＲＩＢ  ＳＴＤ−Ｂ２０  １
．０版）８１頁から８５頁の「第３章  階層化変調サービスシステム運用ガイドライン」
に示され、 ＭＰＥＧのトランスポートストリームには、番組の階層化関係を示す階層伝
送記述子が導入されている。例えば、トレリス８相化ＰＳＫ（ＴＣ８ＰＳＫ）を通常のテ
レビジョン放送（高階層）として、低Ｃ／Ｎでも受信できるＱＰＳＫやＢＰＳＫを同一番
組の内容が分かる最低限の情報（低階層）として伝送し、階層伝送記述子よる高階層と低
階層の運用はＣ／Ｎ低下や誤り率が増加するなどを検知した信号を基に行なうことが示さ
れている。
【０００８】
しかし、前述の従来デジタルＣＡＴＶ技術では、ＢＳデジタル放送で計画されている階
層化伝送の送出や受信が考慮されていなかった。
【０００９】
本発明は、デジタル放送をＣＡＴＶ伝送路などを使用して安定した送受信を行なう方法に関する。
【課題を解決するための手段】
【００１０】
上記課題を解決するために、例えば、特許請求の範囲に記載された技術的思想を用いればよい。
【発明の効果】
【００１１】
以上のようにして、本発明によれば、階層化された伝送信号をＣＡＴＶ伝送路などを使
用する場合に安定した通信を行なうことができる。
【発明を実施するための最良の形態】
【００１２】
本発明の実施例を図を用いて詳細に説明する。図１は、本発明の一実施形態である送信
装置及び受信装置を示すブロック図である。図１において、１００はデジタル復調回路、
１０１は伝送路復号回路、１０２はＴＳ分離回路、１０３と１０９はＴＳ合成回路、１０
４と１１０は６４ＱＡＭ変調回路、１０５は周波数多重回路、１０６はＴＭＣＣ復号回路
、１０７は誤り率測定回路、１０８はＴＭＣＣ再構成回路、２００はＢＳデジタル放送の
変調信号、２０１はＣＡＴＶ伝送路、２０２はＴＭＣＣ情報の信号、２０３はトランスポ
ートストリーム形式のデータ、２０４はビデオ信号、２０５は音声信号、３００はＣＡＴ
Ｖ送信装置、３０１は受信側端末装置、４００，４０１は再送信変調ユニット、５００は
周波数多重分離回路、５０１は６４ＱＡＭ復調回路、５０２は誤り訂正回路、５０３はＴ
ＭＣＣ/ＴＳ分離回路、５０４は階層化切り替え判定回路、５０５はＴＳパケット分離回
路、５０６はＭＰＥＧビデオデコーダ回路、５０７はオーディオデコーダ回路、５０８は
受信端末側のＴＶ受像器である。本実施例では、主要な機能部のみを示しており制御マイ
コンなどの周辺回路ブロックは略している。
【００１３】
屋外ユニット(図示せず)によって受信された階層化ＢＳデジタル放送の変調信号２００
は、ケーブルによってＣＡＴＶ送信装置内の再送信ユニット４００、４０１に入力され、
デジタル復調回路１００で決められているチャネルのデジタル復調が行われ、伝送路復号
回路１０１によって誤り訂正やエネルギー拡散が行われ、トランスポートストリームの分
離回路１０２で約６０ＭｂｐｓのＢＳデジタル放送をＣＡＴＶの伝送容量の約３０Ｍｂｐ
ｓに対応するように２乃至３に分割(本実施例では２分割)し、それぞれトランスポートス
トリーム合成回路１０９に入力され、同期部分に伝送多重制御信号ＴＭＣＣを重畳した後
、６４ＱＡＭ変調回路１０４,１０５で多値変調される。再送信変調ユニット４００の出
力は、他の再送信ユニット４０１からの出力を含めて、周波数多重回路１０５に入力され
周波数多重された後に、ＣＡＴＶ伝送路２０１へ出力する。
【００１４】
受信側端末装置では、ＣＡＴＶ伝送路２０１の信号を周波数多重分離回路５００に入力
して希望するチャネルを選局し、選局出力は６４ＱＡＭの復調回路で復調され、誤り訂正
回路５０２で誤り訂正を行った後にＴＭＣＣ／ＴＳ分離回路５０３でトランスポートスト
リーム形式のデータとＴＭＣＣの分離を行い、分離されたトランスポートストリームはＴ
Ｓパケット分離回路５０５に入力されて、映像と音声のそれぞれのパケットを分離して、
映像パケットデータはＭＰＥＧビデオデコーダ５０６でデコードされ映像信号２０４を得
る、音声パケットはＭＰＥＧオーディオデコーダ５０７でデコードし、映像信号２０４と
音声信号２０５を得て、テレビ受像機５０８に入力される。
【００１５】
階層化ＢＳデジタル放送サービスへ対応するために、送信設備３００では、誤り率の測
定回路１０７を配置し、受信端末側に階層化切り替え判定回路５０４を設けている。誤り
率測定回路１０７は、例えばビダビ復号回路(図示せず、伝送路復号回路１０１に含まれ
る)の入出力を比較することにより受信しているＢＳデジタル放送信号の誤り率を推定し
、予め決められた誤り率を超えると、ＴＭＣＣ再構成回路１０８において伝送多重制御情
報に伝送路の誤り率が大きいことを示すフラグを設定する。図２は、伝送多重制御情報の
構成を説明する参考図である。６００は伝送多重制御信号、６０１は伝送多重制御信号内
の拡張情報である。伝送多重制御情報は、全体で３８４ビットを有するが、最後の６２ビ
ットの拡張情報６０１は、定義されていない。例えば、この拡張領域６０１の一部を、前
記の誤り率劣化のフラグとして使用する。ＴＭＣＣ再構成回路１０８で、誤り率劣化のフ
ラグを設定した伝送多重制御情報は、ＴＳ合成回路１０３，１０９で主信号のトランスポ
ートストリーム形式のデータに重畳され、ＣＡＴＶ伝送路に伝送される。受信側端末３０
１では、前記ＴＭＣＣ／ＴＳ分離回路５０３で誤り訂正されたトランスポートストリーム
形式のデータからＴＭＣＣ情報を分離し、階層切り替え判定回路５０４で誤り率劣化のフ
ラグの有無を判定し、フラグが設定されている場合は、ＴＳパケット分離５０５で低階層
データを選択して各デコーダへ出力する構成である。図３は、階層化ＢＳデジタル放送で
のスロットの割り付けの参考図である。６０２は高階層のＴＣ８ＰＳＫ変調スロットの例
、６０３はＢＰＳＫ変調された低階層のＴＶサービスのスロット、６０４は低階層の変調
方式で設定されるダミースロットである。通常、パケット分離回路５０５はＴＣ８ＰＳＫ
６０２のスロットを選択するが、誤り率増加のフラグを検出すると低階層、本例ではＢＰ
ＳＫ変調のスロットを選択する構成である。本例では伝送路の劣化検出に、誤り率測定回
路１０７を用いて説明したが、後述するように、誤り率測定のかわりにＣ／Ｎの劣化を用
いても良い。
【００１６】
図４は、本発明のもう一つの実施例の送信装置及び受信装置を示すブロック図である。
図中、他図と同じ番号は同一の機能ブロックを示し、１１１はＣ／Ｎの測定回路、１１２
は階層切り替え信号発生回路、１１３は下り回線信号変調回路、５０９は下り回線信号復
調回路、５１０は階層切り替え信号復号回路である。本例では、伝送路の劣化検出にＣ／
Ｎの測定回路１１１を用い、設定されたＣ／Ｎより劣化すると、階層切り替え信号発生回
路１１２で信号を発生し、下り回線の信号変調(例えばＦＳＫ変調)にフラグ情報を重畳し
てＣＡＴＶ伝送路２０１に伝送する。受信側端末３０１では、周波数多重分離５００で下
り回線信号を分離して、下り回線信号復調回路５０９で下り回線信号を復調し、復調出力
から階層切り替え信号復号回路５１０で階層切り替え信号を復号する。もし、階層切り替
えフラグが検出された場合は、階層切り替え復号回路５１０から、ＴＳパケット分離５０
５へフラグ発生が伝達され、低階層スロットの選択を行う。
【００１７】
図５は、本発明の別の実施例の送信装置及び受信装置を示すブロック図である。図中、
他図と同じ番号は同一の機能ブロックを示している。本実施例では、ＴＳ分離回路１０２
の出力は前記図３のＴＣ８ＰＳＫ変調スロット６０２のみを出力し、低階層のＢＰＳＫ変
調スロット６０１は、例えばダミースロットして出力している。いま、Ｃ／Ｎ測定回路１
１１の結果がある設定したＣ／Ｎ値より劣化すると階層化切り替え回路１１２から信号が
発せられ、ＴＳ分離回路１０２の出力は逆にＴＣ８ＰＳＫ変調スロット６０２の領域はダ
ミースロットして出力され、ＢＰＳＫ変調スロット６０１が出力され、６４ＱＡＭ変調さ
れて、ＣＡＴＶ伝送路２０１へ送出される。受信側端末３０１では、階層化を選択する回
路を必要としない特徴がある。
【００１８】
図６は、本発明の別の実施例の送信装置及び受信装置を示すブロック図である。図中、
他図と同じ番号は同一の機能ブロックを示し、５１２はＴＳパケット分離内の誤り計測回
路である。本実施例では、ＣＡＴＶ送信装置３００側で、誤り率あるいはＣ／Ｎ劣化によ
る階層化信号の切り替えは行わず、受信側端末３０１のＴＳパケット分離５０５内に誤り
計測回路５１２を設けている。すなわち、階層化ＢＳデジタル放送信号が、降雨減衰など
でＣ／Ｎ劣化し、誤り率が増加すると、ＴＳパケット分離５０５やＭＰＥＧビデオデコー
ダ５０６あるいはオーディオデコーダ５０７の処理において誤りが発生する。本実施例で
は、これらの誤りを計測して、誤りが設定値を超えると、ＴＳパケット分離内でのスロッ
ト選択を、図３のＴＣ８ＰＳＫスロット６０２からＢＰＳＫ変調スロット６０１に変更し
て、処理するものである。
【００１９】
これまで述べてきた、低階層の変調例はＢＰＳＫ変調で説明したが、これに限るもので
はなくＱＰＳＫ変調を用いても効果が得られることは明らかである。
上記実施例によれば、ＢＳデジタル放送の階層化されたトランスポートストリーム形式の
デジタルデータの切り換え情報を伝送多重制御情報あるいはＦＳＫなどのデジタル変調波
で送出することにより、
受信側で階層化の切り換えタイミングを知ることができ階層化トランスポートストリーム
形式のデジタルデータを選択受信することができる。
【００２０】
また、送信側でＢＳデジタル放送の階層化テレビジョンを選択して出力することにより
、受信側が階層切り替えの手段を持たなくてもＢＳデジタルの階層化トランスポートスト
リーム形式のデジタルデータに対応できる。
【００２１】
あるいは、受信機側でデコードしたトランスポートストリーム形式のデジタルデータの
切り換え情報により階層化トランスポートストリームの切り替えを行うことにより、送信
側で階層化トランスポートに対応していなくてもＢＳデジタルの階層化トランスポートス
トリーム形式のデジタルデータに対応できる。これらのことから、ＢＳデジタル放送で計
画されている階層化伝送をＣＡＴＶ伝送路などを使用して受信でき、ＢＳデジタル放送の
降雨によるサービス遮断を軽減することができる。
【図面の簡単な説明】
【００２２】
【図１】本発明の一実施例の送信装置及び受信装置を示すブロック図である。
【図２】伝送多重制御情報の構成図である。
【図３】階層化ＢＳデジタル放送でのスロットの割り付け例である。
【図４】本発明のもう一つの実施例の送信装置及び受信装置を示すブロック図である。
【図５】本発明の別の実施例の送信装置及び受信装置を示すブロック図である。
【図６】本発明の別の実施例の送信装置及び受信装置を示すブロック図である。
【符号の説明】
【００２３】
１００…デジタル復調回路、１０１…伝送路復号回路、１０２…ＴＳ分離回路、１０３
,１０９…ＴＳ合成回路、１０４，１１０…６４ＱＡＭ変調回路、１０５…周波数多重回
路、１０６…ＴＭＣＣ復号回路、１０７…誤り率測定回路、１０８…ＴＭＣＣ再構成回路
、１１１…Ｃ／Ｎ測定回路、１１２…階層化切り替え信号発生回路、１１３…下り回線信
号変調回路、３００…ＣＡＴＶ送信装置、３０１…受信側端末装置、４００，４０１…再
送信変調ユニット、５００…周波数多重分離回路、５０１…６４ＱＡＭ復調回路、５０２
…誤り訂正回路、５０３…ＴＭＣＣ/ＴＳ分離回路、５０４…階層化切り替え判定回路、
５０５…ＴＳパケット分離回路、５０６…ＭＰＥＧビデオデコーダ回路、５０７…オーデ
ィオデコーダ回路、５０８…受信端末側のＴＶ受像器、５０９…下り回線信号復調回路、
５１０…階層化切り替え信号復号回路、５１２…誤り計測回路。
【図１】
2006238504.tif 000003
【図２】
2006238504.tif 000004
【図３】
2006238504.tif 000005
【図４】
2006238504.tif 000006
【図５】
2006238504.tif 000007
【図６】
2006238504.tif 000008
【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
ケーブルにてデジタル放送信号を送信する送信方法において、
複数の階層からなるトランスポートストリーム形式のデジタルデータを受信し、
前記受信された前記デジタルデータの誤りに関する情報を計測し、
前記計測された前記誤りに関する情報を用いて前記階層を切り換え、
前記デジタルデータ及び前記誤りに関する情報に対してＱＡＭ形式の変調を行い、
前記変調された前記デジタルデータ及び前記誤りに関する情報とを多重化し、
前記多重化されたデータを前記ケーブルに出力することを特徴とする送信方法。
【請求項２】
請求項１記載の送信方法において、
前記デジタル放送信号には、伝送の制御に関する伝送制御情報が含まれており、
前記デジタル放送信号の誤りに関する情報は、前記デジタル放送信号に含まれる伝送制御情報の拡張領域に格納されることを特徴とする送信方法。
【請求項３】
請求項１記載の送信方法において、
前記誤りに関する情報を計測した結果が所定値を満たさない場合に、前記階層を切り換えることを特徴とする送信方法。
【請求項４】
請求項１記載の送信方法において、
前記ＱＡＭ形式の変調が６４値のＱＡＭであることを特徴とする送信方法。
【請求項５】
ケーブルにてデジタル放送信号を送信する送信装置において、
複数の階層からなるトランスポートストリーム形式のデジタルデータを受信する受信手段と、
前記受信された前記デジタルデータの誤りに関する情報を計測する計測手段と、
前記計測された前記誤りに関する情報を用いて前記階層を切り換える階層切り換え手段と、
前記デジタルデータ及び前記誤りに関する情報に対してＱＡＭ形式の変調を行う変調手段と、
前記変調された前記デジタルデータ及び前記誤りに関する情報とを多重化する多重化手段と、
前記多重化されたデータを前記ケーブルに出力出力手段を備えることを特徴とする送信装置。
【請求項６】
請求項５記載の送信装置において、
前記デジタル放送信号には、伝送の制御に関する伝送制御情報が含まれており、
前記デジタル放送信号の誤りに関する情報は、前記デジタル放送信号に含まれる伝送制御情報の拡張領域に格納されることを特徴とする送信装置。
【請求項７】
請求項５記載の送信装置において、
前記誤りに関する情報を計測した結果が所定値を満たさない場合に、前記階層を切り換えることを特徴とする送信装置。
【請求項８】
請求項５記載の送信装置において、
前記ＱＡＭ形式の変調が６４値のＱＡＭであることを特徴とする送信方法。
【請求項９】
ケーブルにてデジタル放送信号を送信する送信方法において、
複数の階層からなるトランスポートストリーム形式のデジタルデータを受信し、
前記デジタルデータ及び前記前記受信された前記デジタルデータの誤りに関する情報に対してＱＡＭ形式の変調を行い、
前記変調された前記デジタルデータ及び前記誤りに関する情報とを多重化し、
前記多重化されたデータを前記ケーブルに出力することを特徴とする送信方法。